(57)【特許請求の範囲】
【請求項１】
線状バネ材で構成された四角形ループ部と、その一頂部に連設された通し棒とからなり、前記通し棒の先端側は折り曲げられて傾斜していることを特徴とする釣り用糸通し具。
【請求項２】
請求項１に記載した釣り用糸通し具と収容ケースとでなる携帯用糸通しセットにおいて、
前記収容ケースは筒状を為し、軸方向一端側が釣り用糸通し具の挿入／取出し口になっており、他端側には突出し穴が形成されていることを特徴とする携帯用糸通しセット。
【請求項３】
請求項２に記載した携帯用糸通しセットにおいて、
収容ケースの内側中間部には内方フランジが形成されて軸方向からみて断面開口が狭められていることを特徴とする携帯用糸通しセット。
【発明の詳細な説明】
【技術分野】
【０００１】
本発明は、釣り用糸通し具と、前記釣り用糸通し具とそれを収容する収容ケースとを含む携帯用糸通しセットに関するものである。
【背景技術】
【０００２】
外ガイド付き釣り竿を使って釣りを楽しんでいる場合、竿の途中やリール付近で釣り糸が切れると所謂ガイドに糸通しをその場でやり直すことになるが、磯釣り用では、糸通し具はトップカバーに一体に設けられているものが多い。従って、その糸通し具を用いて糸通しをやり直そうとすると、ロッドを一旦縮めなくてはならず面倒である。
また、最近では、ロッド本来の性能をより引き出させるために、速やかに且つスムーズに糸を収束させるチョークガイド群と、従来よりもさらに小さな小口径で軽いガイドを複数もってきて構成したティップガイド群を組み合わせた釣竿が提案されているが、このタイプの釣竿では超小口径のガイドの数が増えるため、結果的に糸通しがやり難いガイドの数が増えることになる。
【先行技術文献】
【特許文献】
【０００３】
【特許文献１】登録実用新案第３０１６６６８号公報
【発明の概要】
【発明が解決しようとする課題】
【０００４】
糸通しを助けるために、糸通し具なるものは従来からある。特許文献１では、その一つとして、糸通し具を一本の線状のバネ材を折り曲げて形成したものが紹介されている。この糸通し具は、両遊端がガイド幅以上に広げられており、ガイドに挿通させるときにはそのバネ性を利用して撓ませて縮めている。従って、ロッドを立てて糸通しをしている途中で糸通し具を手から離したときにも、糸通し具の原状復帰によりガイドを逆方向に通過すること、即ち逆行が阻止されている。
【０００５】
而して、特許文献１のような糸通し具は超小口径のガイドに対応させようとすると、細いバネ材で形成する必要が有ることから、使用しない場合には携帯用収容ケースに収容することで外からの影響による永久変形を阻止することが望まれる。
しかしながら、特許文献１の糸通し具は逆行できないので、収容ケース内で撓ませて位置決め固定した状態で安定的に収容しようとした場合、収容ケースの挿入／取出し口をガイド挿通の一端側で兼用することはできず、両端側を開口させてそれぞれ挿入口、取出し口とすることになるが、特に磯釣りの場合には、衣服に吊下げたりして携帯する場合が多いので、広い開口が多いとそこから水やゴミが入って糸通し具が早期に錆びたりして使えなくなる危険性がある。
【０００６】
本発明は、上記課題を解決するものであり、糸通しとしての機能を損なわず、携帯用収容ケースに上手く収容でき、上記したような磯釣りや超小口径ガイドを装着した新規タイプの釣竿の糸通しに使い勝手が良く、釣り用糸通し具とその専用の携帯用収容ケースまでも含む携帯用糸通しセットを提供することを、その目的とする。
【課題を解決するための手段】
【０００７】
本発明者は、糸通し具のバネ性を生かす部位を閉じた四角形ループ状とすることで、上記課題を解決できることを見出し、本発明を提案するに至った。
【０００８】
請求項１の発明は、線状バネ材で構成された四角形ループ部と、その一頂部に連設された通し棒とからなり、前記通し棒の先端側は折り曲げられて傾斜していることを特徴とする釣り用糸通し具である。
【０００９】
請求項２の発明は、請求項１に記載した釣り用糸通し具と収容ケースとでなる携帯用糸通しセットにおいて、前記収容ケースは筒状を為し、軸方向一端側が釣り用糸通し具の挿入／取出し口になっており、他端側には突出し穴が形成されていることを特徴とする携帯用糸通しセットである。
請求項３の発明は、請求項２に記載した携帯用糸通しセットにおいて、収容ケースの内側中間部には内方フランジが形成されて軸方向からみて断面開口が狭められていることを特徴とする携帯用糸通しセットである。
【発明の効果】
【００１０】
本発明の釣り用糸通し具は、釣り糸のガイド逆行を阻止できるものであり、筒状の収容ケースに位置決め固定した状態で安定的に収容でき、且つ出し入れも一端側からできる。
【図面の簡単な説明】
【００１１】
【図１】本発明の実施の形態に係る釣り用糸通し具の斜視図である。
【図２】図１の釣り用糸通し具の上面図、側面図、前面図、後面図、および一部断面図である。
【図３】本発明の実施の形態に係る携帯用収納ケースの斜視図である。
【図４】図３の携帯用収容ケースの上面図、側面図、前面図、後面図、および断面図である。
【図５】図１の糸通し具の使用方法の説明図である。
【図６】図１の糸通し具の逆行阻止機能の説明図である。
【図７】図１の糸通し具の図３の携帯用収容ケースへの仕舞い込みと取出し手順の説明図である。
【図８】図７の仕舞い込み完了時の状態の断面図である。
【図９】図７の仕舞い込み完了時の状態の斜視図である。
【発明を実施するための形態】
【００１２】
本発明の実施の形態に係る糸通し具１の構成を、図１、図２にしたがって説明する。
この糸通し具１には四角形ループ部３が設けられている。
一本の金属製の線状バネ材が半分に折り曲げられ、さらに折曲げ片４、４のそれぞれの稍中央寄りの部分が互いに離間するように外方に向かって山折り状に折り曲げられている。形成された３つの折曲げ部５、７、９のうち中間の折曲げ部５は略１８０°の角度で折り曲げられ、対向した２つの折曲げ部７、９は約３０°の角度で折り曲げられている。そして２つの遊端１１、１３側は揃えられ、結束されて結束部１５となっている。この結束により遊端１１、１３側も折曲げ部５、７、９と同様に一つの頂部となり、閉じた四角形ループ部３が作りだされている。
【００１３】
四角形ループ部３には通し棒１７が連設されている。この通し棒１７は上記した線状バネ材よりは太い線材で構成されている。通し棒１７は大部分が直状部１９になっているが、先端側は約２５度の角度で折り曲げられて傾斜部２１になっている。通し棒１７の後端に結束部１５が連結されて、上記した四角形ループ部３と一体になっている。
四角形ループ部３と通し棒１７は上方視では共に一直線状に見える。一方、側方視では、四角形ループ部３は菱形に見え、通し棒１７では傾斜部２１が見える。通し棒１７の直状部１９は四角形ループ部３の折曲げ部５と結束部１５とを結ぶ、菱形の対角線の延長上にある。
なお、この中間折曲げ部５は略１８０°の角度で折り曲げる事により、釣り糸を挟み込み、保持できる様になっている。
【００１４】
次に、本発明の実施の形態に係る携帯用収容ケース２３の構成を、図３、図４にしたがって説明する。
この携帯用収容ケース２３の本体２５は円筒状を為しており、中空部の断面が略真円になっている。そして、その内側の中間には、内方フランジ２７が設けられている。この内方フランジ２７は半径方向内方に同じ長さだけ突出して中空部が狭められており、開口２９は軸方向から見ると略真円になっている。内方フランジ２７の厚みは一律ではなく、内方に向かって徐々に薄くなって側方視では富士山型の断面を見せている。
【００１５】
本体２５の中空部の側断面を為す円の直径は、上記した糸通し具１の四角形ループ部３を少し撓ませれば挿入可能な程度に、また内方フランジ２７の開口２９の開口最小円の直径も、四角形ループ部３を小さく撓ませれば通過可能な程度に設定されている。
【００１６】
本体２５の軸方向一端側はそのまま開口しており、上記した釣り用糸通し具挿入と取出しをするための出入口３３となっている。
【００１７】
本体２５の軸方向他端側の外面には円筒状の外枠部３５が取り付けられており、この外枠部３５が取り付けられた側の本体２５の開口はキャップ３７により閉塞されている。
キャップ３７は外枠部３５まで覆う直径を有する円盤部３９と、この円盤部３９の裏面から突出する円柱状の被嵌込み部４１からなっている。被嵌込み部４１は円盤部３９より直径が一回り小さくなっており、同軸状に配されている。
閉塞時には、上記した構成のキャップ３７の被嵌込み部４１が本体２５に嵌め込まれて本体２５内に入り込み、円盤部３９の裏面側が本体２５と外枠部３５とに当接して係止される。
【００１８】
円盤部３９から被嵌込み部４１にかけて軸方向に延びる突出し穴４３が形成されている。この突出し穴４３は長手方向の全長にわたって同径ではなく、円盤部３９側に向かって先細りとなるテーパ部４５が含まれている。この突出し穴４３の円盤部３９の表面上の口径、即ち最小口径は上記した糸通し具１の四角形ループ部３の折曲げ部５を挟んで折り畳まれた２つの折曲げ片４、４がスムーズに通り抜けてキャップ３７の上方に突出せる程度の大きさに設定されている。
【００１９】
符号４７は吊下げ部を示し、この吊下げ部４７は一本の細棒がアーチ状に折り曲げられて形成されている。そして、２つの遊端側はそれぞれ略９０°の角度で折り曲げられて、それぞれの遊端は互いに近づく方向を向いている。この２つの遊端が上記したキャップ３５の側面に形成された一対の取付け穴にそれぞれ遊嵌されて回動自在になっている。
この携帯用収容ケース２３は、磯釣り中のような場合には、上記した吊下げ部４７を釣り用ジャケット等のフックに引掛けて、キャップ３７側を頭にして吊下げることが想定されている。
【００２０】
糸通し具１の使用方法について、図５にしたがって説明する。
図５に示すように、四角形ループ部３に釣り糸Ｓを通し、折曲げ部５に釣り糸を保持させた状態で、四角形ループ部３を手で持って、ガイドＧに通し棒１７をその先端の傾斜部２１から、矢印に示す方向に押して差し込んでいく。通し棒１７には傾斜部２１が設けられているので、ガイドＧが低い位置にあっても手の動きがロッドＲに邪魔されることはない。四角形ループ部３の大部分まで差し込むと、今度はガイドＧを挿通し終わった通し棒１７側を手で持って引き抜いていく。四角形ループ部３はガイドＧを挿通する際には撓んで縮むが、引き抜かれると原状復帰して広がる。
これにより、１つのガイドＧの糸通し作業が終わる。全てのガイドについて上記作業を行って糸通しをしていく。
【００２１】
上記した糸通し作業はロッドを立てて行うが、図６に示すように、手を持ち替える際に糸通し具１から一端手を離しても、四角形ループ部３が原状復帰してガイドの穴径より大きい菱形状に張り出しているので、糸通し具１がガイドＧに引掛かって止まり、ガイドＧを逆行することはない。
【００２２】
糸通し具１の携帯用収容ケース２３への仕舞い込み手順を、図７にしたがって説明する。
四角形ループ部３の折曲げ部５を先頭にして、携帯用収納ケース２３の本体２５の中空部に出入口３３から、矢印に示す方向に押すと四角形ループ部３の折曲げ部７、９は内面に当たり折曲げ片４、４が撓んで縮まった状態で中空部内に侵入していく。
途中では、内方フランジ２７に当たるが、押す力を強くすると、折曲げ片４、４はさらに縮んで内方フランジ２７で狭まった開口２９を通り抜ける。その際、内方フランジ２７は山状に傾斜しているので、四角形ループ部３は滑らかに内方フランジ２７を乗り越えていく。
【００２３】
さらに、糸通し具１を押すと、通し棒１７の傾斜部２１の先端が出入口３３により僅かに入り込む。四角形ループ部３が携帯用収容ケース２３内を進行していくと、折曲げ部５を先頭にして２つの折曲げ片４、４がキャップ３７の突出し穴４３に入り込んでいくが、突出し穴４３は上記したように徐々に先細り形状になっているので内面につっ掛かることなくスムーズに突出し穴４３内を進行していく。仕舞い込み完了時には、四角形ループ部３の折曲げ部５を頭にして２つの折曲げ片４、４がキャップ３７の突出し穴４３から一部突き出ている。
仕舞い込み完了時には、図８、図９に示す状態になる。収容時には、糸通し具１の四角形ループ部３の折曲げ部７、９が携帯用収容ケース２３の内面に当たって若干撓んでおり、位置決め固定された状態で保持される。２つの折曲げ片４、４は突出し穴４３から一部突き出ているが、上記した吊下げ部４７に干渉することはない。
【００２４】
また、内方フランジ２７があるので、突出し穴４３から突き出た折曲げ片４、４が携帯用収容ケース２３内に押し戻す方向に力が偶然掛かっても、内方フランジ２７が障壁となって糸通し具１は容易には押し出されない。
【００２５】
糸通し具１を取出すときには、図７に示すように、突出し穴４３から突き出た折曲げ片４、４を本体２５内に押し戻して、通し棒１７の傾斜部２１を矢印に示すように出入口３３から出す。その後は、その通し棒１７を引いて糸通し具１全体を携帯用収容ケース２３から引き抜いていく。その際、内方フランジ２７は山状に傾斜しているので、四角形ループ部３は滑らかに内方フランジ２７を乗り越えていく。
【００２６】
上記したように、糸通し具１は糸通しの際にはガイドを逆行しないので糸通し作業がし易い。この糸通し具１を流通させることで、面倒な糸通し作業の負担が格段に減るので、口径が小さいガイド群を装着した最新式の釣り竿に対しても、視力が弱くなった高齢者でも楽しんでトライできるようになるものと考える。
また、取出し口を下端に設けた携帯用収容ケース２３に安定的に収容でき、特に磯釣りのような場合に使い勝手がよい。
以上より、この糸通しセットは、釣りを子供から高齢者まで幅広く親しめ、結果的に釣り人口を拡大するのに寄与できるものと期待される。
【００２７】
以上、本発明の実施の形態を説明したが、本発明の具体的構成が上記の実施の形態に限定されるものではなく、本発明の要旨から外れない範囲での設計変更があっても本発明に含まれる。
いずれにしても、本発明を構成する糸通し具および携帯用収容ケースは、特許請求されている形状や特性等の関係を満足する限り、従来からある、または将来案出される形状等や材料製のものを活用することができる。
【産業上の利用可能性】
【００２８】
本発明に係る糸通し具および携帯用収容ケースは、釣り用ガイドの製造業に関連する。
【符号の説明】
【００２９】
１‥‥糸通し具                      ３‥‥四角形ループ部
４‥‥折曲げ片                      ５、７、９‥‥折曲げ部
１１、１３‥‥遊端                  １５‥‥結束部
１７‥‥通し棒                      １９‥‥直状部
２１‥‥傾斜部                      
２３‥‥携帯用収容ケース            ２５‥‥本体
２７‥‥内方フランジ                ２９‥‥開口
３３‥‥出入口                      ３５‥‥外枠部
３７‥‥キャップ                    ３９‥‥円盤部
４１‥‥被嵌込み部                  ４３‥‥突出し穴
４５‥‥テーパ部                    ４７‥‥吊下げ部
Ｇ‥‥ガイド          Ｓ‥‥釣り糸          Ｒ‥‥ロッド
【図１】
0005827110.tif 000002
【図２】
0005827110.tif 000003
【図３】
0005827110.tif 000004
【図４】
0005827110.tif 000005
【図５】
0005827110.tif 000006
【図６】
0005827110.tif 000007
【図７】
0005827110.tif 000008
【図８】
0005827110.tif 000009
【図９】
0005827110.tif 000010